(57)【要約】      （修正有）【課題】給湯装置に備えられた上側整流具・下側整流具の改良である上側チャンバー・下側チャンバーを貯湯槽内の上面体と底面体にそれぞれ近づけて設け、しかも、貯湯槽内の中間に位置する温度成層貯熱に影響を与えない静水チャンバーを開発する。【解決手段】筒状の胴体部１ａと該胴体部の両端部に、椀状の上面体・底面体１ｂ，１ｃを一体に形成した貯湯槽本体１において、貯湯槽本体の胴体部を連通する上部側パイプ２と下部側パイプ３をそれぞれ設け、上部側及び下部側パイプの中央部が、それぞれ貯湯槽本体の上面体の上端中央部および底面体の下端中央部に近接するように、両パイプを配管し、これらの中央部に、パイプの径と略同等な厚みを有する偏平な四角形のボックス形状からなる上側チャンバー４と、下側チャンバー５をそれぞれ設け、該上側チャンバーには上面体側に多数の小孔を穿設し、該下側チャンバーには底面体側に、多数の小孔を穿設する。【選択図】図１
0003143870.tif 000002
【実用新案登録請求の範囲】
【請求項１】
筒状の胴体部（１ａ）と該胴体部の両端部に、それぞれ椀状の上面体・底面体（１ｂ）（１ｃ）を一体に形成して略俵状に形成された貯湯槽本体（１）において、貯湯槽本体（１）の胴体部を連通する上部側パイプ（２）と下部側パイプ（３）をそれぞれ設けるに際し、上部側パイプ（２）および下部側パイプ（３）の中央部が、それぞれ貯湯槽本体（１）の上面体の上端中央部および底面体の下端中央部に近接するように、両パイプを配管し、これら両パイプ（２）（３）のそれぞれ中央部に、それぞれのパイプ（２）（３）の径と略同等な厚みを有する偏平な四角形のボックス形状からなる上側チャンバー（４）と、下側チャンバー（５）をそれぞれ設け、該上側チャンバー（４）には上面体側に多数の小孔（６）を穿設し、該下側チャンバー（５）には底面体側に、多数の小孔（６）を穿設することを特徴とする静水チャンバーを有する貯湯槽。
【請求項２】
筒状の胴体部（１ａ）と該胴体部の両端部に、それぞれ椀状の上面体・底面体（１ｂ）（１ｃ）を一体に形成して略俵状に形成された貯湯槽本体（１）において、貯湯槽本体（１）の中央部まで挿入する上部側パイプ（２２）と下部側パイプ（３３）をそれぞれ設けるに際し、上部側パイプ（２２）および下部側パイプ（３３）の先端部が、貯湯槽本体（１）の上面体（１ｂ）の上端中央部および底面体（１ｃ）の下端中央部に近接するように、両パイプ（２２）（３３）を配管し、これら両パイプ（２２）（３３）の先端に、それぞれ上部側パイプ（２２）および下部側パイプ（３３）の径と略同等な厚みを有する偏平な四角形のボックス形状からなる上側チャンバー（４）と、下側チャンバー（５）をそれぞれ設け、該上側チャンバー（４）には上面体側に多数の小孔（６）を穿設し、下側チャンバー（５）は底面体側に、多数の小孔（６）を穿設することを特徴とする静水チャンバーを有する貯湯槽。
【考案の詳細な説明】
【技術分野】
【０００１】
この考案は、静水チャンバーを有する貯湯槽に関する。
【背景技術】
【０００２】
従来、給水管によって貯湯槽内に水を充填する一方、該貯湯槽と加熱器との間に介装した循環路によって貯湯槽内の水を加熱器との間で循環しつつ、加熱器の加熱によって昇温させた湯水を貯湯槽に貯え、この湯水を、貯湯槽に連結してある給湯管から給湯する給湯装置が開発されている。例えば、特許文献１のように。
【０００３】
しかし、この湯水を貯える貯湯槽は、上層は略６０°Ｃ〜７０°Ｃの高湯水温領域であり、中層は略５５°Ｃ〜６０°Ｃの帯状の中湯水温領域となっており、底層は４５°Ｃ〜６０°Ｃ位の低湯水温領域となっている。そして、貯湯槽の下位位置に配設された給水口から、給湯量に応じた量の原水が供給されるため、貯湯槽の下層は返湯口から還流された返湯と原水との混合によって２５°Ｃ〜４５°Ｃの帯状の低湯水温領域となってしまう。  
【０００４】
そのため、貯湯槽内の、上層の高湯水温領域と、下層の低湯水温領域に、それぞれ高湯水と原水とを減速させて流入させ、上層の高湯水と下層の低湯水とが対流により攪拌されるのを防ぐために、上側整流具と下側整流具を設けた発明がある。例えば、特許文献２のように。
【特許文献１】特開２００２−１１５９０７号公報
【特許文献２】特開２００４−３６１０７３号公報
【０００５】
しかし、このような上側整流具と下側整流具では、貯湯槽内に放出される高湯水と原水とが貯湯槽内の中間に位置する温度境界層付近でも混ざり合うことになり、これでは不完全なものであり、これにより、静かに放出される上側整流具と下側整流具の開発が待たれている。
【考案の開示】
【考案が解決しようとする課題】
【０００６】
そこで、この考案は、上記の給湯装置に備えられた上側整流具・下側整流具の改良である上側チャンバー・下側チャンバーを貯湯槽内の上面体と底面体にそれぞれ近づけて設け、しかも、貯湯槽内の中間に位置する温度境界層に影響を与えない構造の静水チャンバーを有する貯湯槽を開発することにある。
【課題を解決するための手段】
【０００７】
この考案による課題を解決するための手段としては、貯湯槽内に、上側チャンバー・下側チャンバーを設けるに際し、これら両チャンバーを上面体と底面体にそれぞれ近づけて設け、貯湯槽内で静かに高湯水・原水を放出することにより、貯湯槽内が混ざり合うことを少なくする静水チャンバーを有する貯湯槽である。
【考案の効果】
【０００８】
この考案によると、静水チャンバーを貯湯槽内の上面体・底面体に、それぞれ近づけた位置に静水チャンバーを設けているため、また、静水チャンバーが偏平なボックス形状から形成されており、貯湯槽内に放出される高湯水や原水は、それぞれの静水チャンバーの多数の小孔より貯湯槽内の上面体・底面体に向けて放出され、放出時に発生する水流は、これら静水チャンバーにより、流水の攪乱を遮蔽することができ、より静かに高湯水と原水を貯湯槽内に放出できるため、貯湯槽の上層は、高温水は、６０°Ｃ〜９０°Ｃに維持でき、貯湯槽内の中間には、２０ｃｍ〜３０ｃｍの混合層が可能となり、該混合層を境界にして、上層はもとより底層の底温水（５°Ｃ〜２５°Ｃ）とも存在可能となり、温度成層蓄熱が可能となる等極めて有益なる効果を奏するものである。
【考案を実施するための最良の形態】
【０００９】
以下、この考案の好適な実施の形態について説明すると、貯湯槽内に、上側チャンバー・下側チャンバーを設けるに際し、これら両チャンバーを上面体と底面体にそれぞれ近づけて設け、これら貯湯槽内の上面体と上側チャンバー・底面体と下側チャンバーとの間で静かに高湯水・原水を放出する構造とすることにより、貯湯槽内が混ざり合うことを少なくするよう構成した静水チャンバーを有する貯湯槽からなるものである。
【実施例】
【００１０】
この考案の一実施例を図１，図２に基づいて詳細に説明すると、筒状の胴体部（１ａ）と該胴体部の両端部に、それぞれ椀状の上面体（１ｂ）と底面体（１ｃ）を一体に形成して略俵状に形成された貯湯槽本体（１）において、貯湯槽本体（１）の胴体部を連通する上部側パイプ（２）と下部側パイプ（３）をそれぞれ設けるに際し、上部側パイプ（２）および下部側パイプ（３）の中央部が、それぞれ貯湯槽本体（１）の蓋体の上端中央部および下端中央部に近接するように、両パイプを配管し、これら両パイプ（２）（３）のそれぞれ中央部に、それぞれのパイプ（２）（３）の径と略同等な厚みを有する偏平な四角形のボックス形状からなる上側チャンバー（４）と、下側チャンバー（５）をそれぞれ設け、該上側チャンバー（４）には上蓋体側に多数の小孔（６）を穿設し、下蓋側に、多数の小孔（６）を穿設することを特徴とする静水チャンバーを有する貯湯槽から構成されるものである。
【００１１】
尚、上部側パイプ（２）および下部側パイプ（３）は、図１に示すように、貯湯槽本体（１）の直交方向に配管される場合もあるが、また、上部側パイプ（２）および下部側パイプ（３）は、貯湯槽本体（１）の中央部を起点として所定の角度曲げて配管される場合もある。
【００１２】
さらに、この考案の他の実施例を図４，図５に基づいて詳細に説明すると、筒状の胴体部（１ａ）と該胴体部の両端部に、それぞれ椀状の上・下蓋体（１ｂ）（１ｃ）を一体に形成して略俵状に形成された貯湯槽本体（１）において、貯湯槽本体（１）の中央部まで挿入する上部側パイプ（２２）と下部側パイプ（３３）をそれぞれ設けるに際し、上部側パイプ（２２）および下部側パイプ（３３）の先端部が、貯湯槽本体（１）の上蓋体（１ｂ）および下蓋体（１ｃ）に近接するように、両パイプ（２２）（３３）を配管し、これら両パイプ（２２）（３３）の先端に、それぞれのパイプ（２２）および下部側パイプ（３３）の径と略同等な厚みを有する偏平な四角形のボックス形状からなる上側チャンバー（４）と、下側チャンバー（５）をそれぞれ設け、該上側チャンバー（４）には上蓋体側に多数の小孔（６）を穿設し、下蓋側に、多数の小孔（６）を穿設することを特徴とする静水チャンバーを有する貯湯槽から構成されるものである。
【００１３】
また、図３は、貯湯槽本体（１）内のパイプに接続された上側チャンバー（４）を示し、小孔（６）を多数穿設したものである。
【産業上の利用可能性】
【００１４】
この考案の技術を確立し、実施・販売することにより、産業上利用できるものである。
【図面の簡単な説明】
【００１５】
【図１】この考案の一実施例を示す一部欠截正面図である。
【図２】この考案の一実施例を示す一部欠截平面図である。
【図３】この考案に使用する上側チャンバーの一実施例を示す平面図である。
【図４】この考案の他の実施例を示す一部欠截正面図である。
【図５】この考案の他の実施例を示す一部欠截平面図である。
【符号の説明】
【００１６】
１  貯湯槽本体
１ａ  筒状の胴体部
１ｂ  上面体
１ｃ  底面体
２  上部側パイプ
２２  上部側パイプ
３  下部側パイプ
３３  下部側パイプ
４  上側チャンバー
５  下側チャンバー
６  小孔
【図１】
0003143870.tif 000003
【図２】
0003143870.tif 000004
【図３】
0003143870.tif 000005
【図４】
0003143870.tif 000006
【図５】
0003143870.tif 000007